(57)【特許請求の範囲】
【請求項１】
遊技機から排出される遊技球を、島台に設けられた回収樋に排出されるよう中継するアウト球収容器において、
前記遊技機から排出される遊技球を受ける皿面に排出口が設けられ、かつ、前記排出口に向かって、前記皿面で受けた遊技球を送る勾配が前記皿面に形成された受皿と、
前記受皿の前記排出口から排出される遊技球を受け取り、該受け取った遊技球を前記回収樋に案内する案内樋と、
前記案内樋を前記遊技球が一定数通過する毎に、磁石で固定された状態から１回転して再び磁石で固定された状態となる振り子、及び、前記振り子の回転を検出する検出手段を有し、前記検出手段での検出結果により前記案内樋を通過する遊技球を計数するための計数手段と、
前記受皿が前記遊技機から排出される遊技球を受けるときに前記受皿で発生する衝撃について、前記衝撃が前記案内樋に伝達されることを防止するため、前記案内樋と、前記受皿との間に設けられた離間空間と
を備えることを特徴とするアウト球収容器。
【請求項２】
請求項１に記載のアウト球収容器において、
当該アウト球収容器を前記島台に固定するためのベースを備え、
前記ベースは、
前記島台に固定される下ベースと、
前記下ベースに重ねられる上ベースと、
前記下ベースの上面に設けられた、複数の整列された突起と、
前記上ベースの下面に対し、前記突起の設置スペースよりも広いスペースに設けられ、前記突起を嵌挿可能な整列された複数の孔部と
を備え、
前記受皿は、
前記上ベースに固定され、
前記突起が前記孔部に挿入される位置を変更して、前記上ベースを前記下ベースに対して前後左右に位置を変更することにより、前記下ベースに対して前後左右に移動可能に固定されていることを特徴とするアウト球収容器。
【請求項３】
請求項１に記載のアウト球収容器において、
当該アウト球収容器を前記島台に固定するためのベースを備え、
前記ベースは、
前記島台に固定される下ベースと、
前記下ベースに重ねられる上ベースと、
前記下ベースの上面に設けられた、複数の整列された孔部と、
前記上ベースの下面に対し、前記突起の設置スペースよりも広いスペースに設けられ、前記孔部に嵌挿可能な整列された複数の突起と
を備え、
前記受皿は、
前記上ベースに固定され、
前記孔部に前記突起が挿入される位置を変更して、前記上ベースを前記下ベースに対して前後左右に位置を変更することにより、前記下ベースに対して前後左右に移動可能に固定されていることを特徴とするアウト球収容器。
【請求項４】
請求項２〜３のいずれか１項に記載のアウト球収容器において、
前記上ベースの上面に配置され、前記前後方向に沿って長尺な下支持台と、
前記受皿の下面に配置された上支持台と、
前記下支持台の上面、及び、前記上支持台の下面に設けられ、前記前後方向に沿って凹凸を繰り返す形状に形成された波状路と、
前記上支持台の前記波状路と、前記下支持台の波状路とを弾性力により噛合させる第１噛合手段と
を備えることを特徴とするアウト球収容器。
【請求項５】
請求項４に記載のアウト球収容器において、
前記案内樋に備えられ、前記受皿の前記排出口から排出される遊技球を受け取る受樋であって、前記受皿が前記前後方向に沿って移動しても、前記受皿の前記排出口から排出される遊技球を受け取れる大きさに形成された受樋と、
前記受樋の下面に配置された上回転台と、
前記上ベースの上面に配置された下回転台と、
前記上回転台の下面、及び、前記下回転台の上面に設けられ、円周方向に沿って凹凸を繰り返す形状に形成された波状路と、
前記上回転台の前記波状路と、前記下回転台の前記波状路とを弾性力により噛合させる第２噛合手段と
を備え、
前記案内樋は、前記受樋で受け取った遊技球を前記回収樋に案内することを特徴とするアウト球収容器。
【発明の詳細な説明】
【技術分野】
【０００１】
本発明は、遊技機から排出される遊技球が、島台に設けられた回収樋に排出されるよう中継するアウト球収容器に関する。
【背景技術】
【０００２】
遊技島には、遊技機から排出される遊技球（アウト球）が、島台に設けられた回収樋に排出されるよう中継するアウト球収容器が備えられている。
このアウト球収容器は、遊技機の裏側に設けられたアウト球排出口から排出されて下方に落下するアウト球を受ける受皿と、この受皿で受けたアウト球を回収樋に排出されるよう案内する案内樋とを備えている。
【０００３】
そして、この案内樋の先端には、案内樋を通過するアウト球を計数する計数機が設けられている。
この計数機９０は、図７に示すように、１０歯を有し、計数機９０内の遊技球が通過する通過路９９を遊技球が１つ通過すると１歯だけ回転するギア９１と、このギア９１を一歯ずつ送る送り機構９２と、一端がギア９１と同軸上に支持され、他端に図示しない磁石を備える振り子９３とを備えている（特許文献１）。
【０００４】
また、計数機９０は、図７のギア９１を外した図８に示すように、振り子９３の磁石の回転軌跡に対向する位置であって、高さ方向の中央位置付近であって、アウト球が通過する側にリードスイッチ９４が設けられ、その反対側に磁石９５が設けられている。
【０００５】
振り子９３は、磁石９５が振り子９３の磁石と引き合って、通常、磁石９５が設けられた停止位置に保持される。一方、リードスイッチ９４は、振り子９３側の磁石が、リードスイッチ９４に対向する位置を通過すると、パルス状のアウト信号を出力する。
【０００６】
また、ギア９１には、図７に示すように、突出部９１ａが形成され、振り子９３にはギア９１の突出部９１ａの回転軌跡上に、突出部９３ａが形成されており、ギア９１が回転すると、ギア９１の突出部９１ａが振り子９３の突出部９３ａと当接するよう構成されている。
【０００７】
このように構成された計数機９０では、上述したように遊技球が通過するたびにギア９１が１歯ずつ回転すると、やがてギア９１の突出部９１ａが振り子９３の突出部９３ａに当る。さらにギア９１が回転すると、振り子９３が停止位置から移動して回転し、回転位置の上端を通過した後、振り子９３は磁石９５の自重で回転する。そして、計数機９０の振り子９３は、リードスイッチ９４上を通過し、再び停止位置で磁石９５に保持され、ギア９１が１回転すると、再びギア９１の突出部９１ａが振り子９３の突出部に当る。つまり、この計数機９０では、遊技球が１０個通過すれば、振り子９３が１回転してリードスイッチ９４上を１度通過することとなるのである。
【０００８】
そのため、この計数機９０を用いると、遊技球を１０個単位で計数することができる。
【先行技術文献】
【特許文献】
【０００９】
【特許文献１】特開２００４−２２３１２９号公報
【発明の概要】
【発明が解決しようとする課題】
【００１０】
しかし、上述したアウト球収容器では、受皿に遊技球が衝突する振動で、振り子９３が停止位置からはずれ、停止位置に戻れなくなって振り子運動をし、振り子９３の磁石が短時間にリードスイッチ９４に何度も検出される、いわゆるチャタリングが発生するという問題があった。
【００１１】
そこで、本発明では、上記問題を解決し、受皿に遊技球が衝突しても、チャタリングが発生しないアウト球収容器を提供することを目的とする。
【課題を解決するための手段】
【００１２】
上述した問題を解決するためになされた発明である請求項１に記載のアウト球収容器は、
遊技機から排出される遊技球を、島台に設けられた回収樋に排出されるよう中継するアウト球収容器において、
前記遊技機から排出される遊技球を受ける皿面に排出口が設けられ、かつ、前記排出口に向かって、前記皿面で受けた遊技球を送る勾配が前記皿面に形成された受皿と、
前記受皿の前記排出口から排出される遊技球を受け取り、該受け取った遊技球を前記回収樋に案内する案内樋と、
前記案内樋を前記遊技球が一定数通過する毎に、磁石で固定された状態から１回転して再び磁石で固定された状態となる振り子、及び、前記振り子の回転を検出する検出手段を有し、前記検出手段での検出結果により前記案内樋を通過する遊技球を計数するための計数手段と、
前記受皿が前記遊技機から排出される遊技球を受けるときに前記受皿で発生する衝撃について、前記衝撃が前記案内樋に伝達されることを防止するため、前記案内樋と、前記受皿との間に設けられた離間空間と
を備えることを特徴とする。
【００１３】
このアウト球収容器では、案内樋と、受皿との間に離間空間を有し、受皿に遊技球が衝突しても、この衝突による振動が案内樋に伝達されないように構成されている。そのため、案内樋に設けられた計数手段の振り子にも振動が伝わらない。
【００１４】
また、遊技機の開閉時に、遊技機が受皿に衝突しても、この衝突による振動が案内樋に伝達されないので、案内樋に設けられた計数手段の振り子にも振動が伝わらない。
従って、本発明のアウト球収容器を用いれば、受皿に遊技球が衝突したり、遊技機が受皿に衝突しても、磁石によって固定された計数手段の振り子が磁石から外れることがないので、チャタリングが発生することを確実に防止することができる。
【００１６】
ところで、本発明のアウト球収容器は、島台内に固定して用いられるが、アウト球収容器が取り付けられる位置と、遊技機から遊技球が排出される位置との位置関係は、島台毎に異なる。
【００１７】
そのため、請求項２に記載されたアウト球収容器は、
請求項１に記載のアウト球収容器において、
当該アウト球収容器を前記島台に固定するためのベースを備え、
前記ベースは、
前記島台に固定される下ベースと、
前記下ベースに重ねられる上ベースと、
前記下ベースの上面に設けられた、複数の整列された突起と、
前記上ベースの下面に対し、前記突起の設置スペースよりも広いスペースに設けられ、前記突起を嵌挿可能な整列された複数の孔部と
を備え、
前記受皿は、
前記上ベースに固定され、
前記突起が前記孔部に挿入される位置を変更して、前記上ベースを前記下ベースに対して前後左右に位置を変更することにより、前記下ベースに対して前後左右に移動可能に固定されていることを特徴とする。
【００１８】
このようにすると、突起が孔部に挿入される位置を変更することにより、上ベースが下ベースに固定される位置を前後左右に変更することが可能となる。
その結果、本発明では、アウト球収容器を島台に固定した後でも、受皿の位置を前後左右に変更することができる。
【００１９】
尚、受皿から直接振動を受けないのであれば、チャタリングの発生を相当程度防止できるので、上ベースには、案内樋を固定してもよい。
このようにすれば、アウト球収容器を島台に固定した後でも、受皿と合わせて、案内樋を移動することで、案内樋から島台の回収樋に遊技球を排出する位置を、変更することができる。
【００２０】
また、突起と孔部については、請求項３に記載したように、下ベースの上面に孔部を設け、上ベースの下面に突起を設けるようにしてもよい。
具体的には、
請求項１に記載のアウト球収容器において、
当該アウト球収容器を前記島台に固定するためのベースを備え、
前記ベースは、
前記島台に固定される下ベースと、
前記下ベースに重ねられる上ベースと、
前記下ベースの上面に設けられた、複数の整列された孔部と、
前記上ベースの下面に対し、前記突起の設置スペースよりも広いスペースに設けられ、前記孔部に嵌挿可能な整列された複数の突起と
を備え、
前記受皿は、
前記上ベースに固定され、
前記孔部に前記突起が挿入される位置を変更して、前記上ベースを前記下ベースに対して前後左右に位置を変更することにより、前記下ベースに対して前後左右に移動可能に固定するとよい。
【００２１】
次に、請求項４に記載したように、
請求項２〜３のいずれか１項に記載のアウト球収容器において、
前記上ベースの上面に配置され、前記前後方向に沿って長尺な下支持台と、
前記受皿の下面に配置された上支持台と、
前記下支持台の上面、及び、前記上支持台の下面に設けられ、前記前後方向に沿って凹凸を繰り返す形状に形成された波状路と、
前記上支持台の前記波状路と、前記下支持台の波状路とを弾性力により噛合させる第１噛合手段と
を備える構成とすることが好ましい。
【００２２】
このようにすると、通常は第１噛合手段により、上ベースの下支持台の波状路と、受皿の上支持台の波状路とが噛合することにより、上支持台が下支持台に固定され、受皿が上ベースに固定されるが、第１噛合手段の弾性力に逆らって受皿を引っ張り上げれば、波状路同士の係合が解け、受皿を上ベース上で前後方向に移動させることが可能となる。そして、移動後任意の位置で受皿を下ろせば、第１噛合手段の弾性力により再び波状路同士が噛合して、前後方向の任意の位置で受皿が上ベースに対して固定される。
【００２３】
従って、このように構成すれば、左右の位置を変更することなく、受皿の位置を前後方向にだけを変更することができ、しかも、移動後のその位置で受皿を上ベースに対して確実に固定することができる。
【００２４】
また、上記のように構成すると、遊技機から排出された遊技球が受皿に衝突したときに生じる衝撃は、受皿の左右に設けられている上下支持台を介してベースに伝播し、その後島台に伝播するようになっている。
【００２５】
これにより、受け皿で発生した衝撃が直接計数手段の設けられている案内樋へ伝播することがありません。よって、誤計数を防止することが出来る。
次に、請求項５に記載したように、
請求項４に記載のアウト球収容器において、
前記案内樋に備えられ、前記受皿の前記排出口から排出される遊技球を受け取る受樋であって、前記受皿が前記前後方向に沿って移動しても、前記受皿の前記排出口から排出される遊技球を受け取れる大きさに形成された受樋と、
前記受樋の下面に配置された上回転台と、
前記上ベースの上面に配置された下回転台と、
前記上回転台の下面、及び、前記下回転台の上面に設けられ、円周方向に沿って凹凸を繰り返す形状に形成された波状路と、
前記上回転台の前記波状路と、前記下回転台の前記波状路とを弾性力により噛合させる第２噛合手段と
を備え、
前記案内樋は、前記受樋で受け取った遊技球を前記回収樋に案内することを特徴とする。
【００２６】
このようにすると、通常は第２噛合手段により、案内樋の受樋を支持する上回転台と下回転台の波状路とが噛合し、案内樋は固定されているが、第２噛合手段の弾性力に逆らって受皿を引っ張り上げれば、波状路同士の係合が解け、上回転台を下回転台に対し回転させることが可能となる。そして、移動後任意の位置で上回転台を下ろせば、再び波状路同士が噛合して、回転方向の任意の位置で上回転台が下回転台に対して固定される。
【００２７】
従って、このように構成すれば、案内樋を上ベースに対して任意の方向に回転させることができ、しかも、回転後の任意の位置で固定することができる。
【図面の簡単な説明】
【００２８】
【図１】本実施形態のアウト球収容器の斜視図である。
【図２】アウト球収容器を正面から見た正面図である。
【図３】上ベースと下ベースの説明図で、（ａ）は下ベースを上方から見下ろした図で、（ｂ）は下ベースを（ａ）の矢印Ｂの方向から見た図、（ｃ）は上ベースを下方から見上げた図で、（ｄ）は上ベースを（ｃ）の矢印Ｃの方向から見た図である。
【図４】上支持台と下支持台の説明図で、（ａ）は上支持台の上面の平面図で、（ｂ）は下支持台の下面の平面図で、（ｃ）は上支持台と下支持台とを側面から見た図で、一部透過図で示した側面図である。
【図５】上回転台と下回転台の説明図で、（ａ）は下回転台の上面の平面図で、（ｂ）は上回転台の下面の平面図で、（ｃ）は上回転台と下回転台とを側面から見た図で、一部透過図で示した側面図である。
【図６】（ａ）は、案内樋の受樋の部分を上方から見た平面図で、（ｂ）は、案内樋の構造を説明するための模式図で、下回転台、上回転台、案内樋を前方から見るとともに、アウト球の流れを模式的に示した模式図である。
【図７】計数装置の構造を説明するための模式図である。
【図８】計数装置の構造を説明するための模式図で、ギアを外した図である。
【発明を実施するための形態】
【００２９】
以下に、本願発明が適用された実施形態について説明する。
本実施形態のアウト球収容器１は、遊技機から排出される遊技球（アウト球）を、島台に設けられた回収樋に排出されるよう中継する装置である。
[全体構造]
このアウト球収容器１は、図１に示すように、厚みのある長方形状に形成された上ベース１０と、遊技機の裏面に設けられた図示しないアウト球排出口から排出されて下方に落下するアウト球を受ける受皿２０とを備えている。また、このアウト球収容器１は、受皿２０で受けたアウト球を、島台の図示しない回収樋に案内する案内樋３０と、図２に示すように、上ベース１０よりも小さい長方形状で、厚みのあるの形状に形成された下ベース４０とを備えている。
【００３０】
上ベース１０は、図１に示すように、上面１０ａの中央に、円柱状に形成された下回転台１１を備え、上面１０ａの長手方向の端部近傍に、上面１０ａの短手方向に沿って長尺な直方体形状の下支持台１２を備えている。また、上ベース１０の短手方向に沿った辺の外側であって、この辺の長手方向中央には、上ベース１０を図示しない島台に固定するためのネジ台１４が備えられている。尚、以下、上ベース１０の上面１０ａの長手方向に沿った方向を左右方向、短手方向に沿った方向を前後方向と呼ぶ。
【００３１】
受皿２０は、アウト球を受ける皿面２０ａに、この皿面２０ａの中央に設けられた排出孔２９に向かってアウト球を送る勾配が設けられている。また、受皿２０の下面には、受皿２０を上ベース１０上に配置したとき各下支持台１２に対向する位置に、下支持台１２よりも短いが、各下支持台１２に沿って長尺に形成された直方体形状の上支持台２２が設けられている。
【００３２】
案内樋３０は、図２に示すように、下回転台１１の上面に載せられた上回転台３１と、この上回転台３１の上面でありかつ、受皿２０の排出孔２９の直下に配置された受樋３２と、この受樋３２から、図示しない回収樋側である前方に向かって延設された流樋３３とを備えている。受樋３２は、受皿２０が遊技球を受けるときに発生する衝撃を案内樋３０に伝達することを防止する空間として、受皿２０との間に、一定の大きさの緩衝空間α（矢印ＡとＡ’の先端の間の空間）を空けて配置されている。
【００３３】
また、案内樋３０は、流樋３３の先端に、計数機９０を備えている。この計数機９０は、背景技術の欄で説明した計数機９０と同じもので、流樋３３をアウト球が一定数ずつ通過する毎に磁石で固定された状態から１回転して再び磁石で固定される振り子９３、及び、この振り子９３の回転を検出するリードスイッチ９４を有し、このリードスイッチ９４での検出結果により流樋３３を通過するアウト球を計数するためのものである。重複した説明を避けるため、以下では、詳細については省略する。また、計数機９０について説明が必要な場合には、背景技術の欄で説明した符号を用いて説明する。
[各構成が関連する構造]
次に、各構成が関連する構造について詳細に説明する。
[上ベース１０と下ベース４０が関連する構造]
下ベース４０の上面４０ａには、図３（ａ）（ｂ）に示すように、縦横に一定間隔で整列した（４行×１０列）複数の突起４９が形成されている。また、この下ベース４０には、所定の位置にネジ止孔４８が複数形成されている。
【００３４】
上ベース１０の下面１０ｂには、図３（ｃ）（ｄ）に示すように、下ベース４０の上面４０ａに形成された突起４９と同じ間隔で縦横に一定の間隔で整列した（９行×１８列）、突起４９に嵌合可能な複数の孔部１９が形成されている。この孔部１９は、突起４９の設置スペースよりも広いスペースに設けられている。
【００３５】
このように形成された上ベース１０と下ベース４０とを用いると、下ベース４０をネジ止孔４８にネジを通して島台に対して固定した後でも、突起４９が孔部１９に挿入される位置を変更することで、上ベース１０を下ベース４０に対して前後左右に位置を移動させ、任意の位置で固定することができる。
【００３６】
従って、本実施形態のアウト球収容器１は、受皿２０が上ベース１０上に固定されているので、受皿２０を下ベース４０に対し、前後左右に移動可能に固定することができる。
[上ベース１０と受皿２０が関連する構造]
上ベース１０の上面１０ａに設けられた下支持台１２は、図１に示すように、上ベース１０の上面１０ａの短手方向の辺に沿って長尺な直方体形状に形成されている。そして、この下支持台１２の上面には、図４（ａ）に示すように、長手方向に沿って凹凸を繰り返す形状に形成された２列の波状路１２０が形成されている。また、この下支持台１２の上面には、各波状路１２０の中央位置に、下支持台１２の長手方向に沿って長尺な孔部１２１が形成され、波状路１２０の下部には、図４（ｃ）に示すように、後述する弾性具６０が移動可能な移動空間１２２が形成されている。
【００３７】
受皿２０の下面２０ｂに設けられた上支持台２２は、下支持台１２の長手方向に沿って長尺な直方体形状に形成されている。そして、この上支持台２２の下面には、図４（ｂ）に示すように、長手方向に沿って凹凸を繰り返す形状に形成された２列の波状路２２０が形成されている。また、この上支持台２２の下面には、各波状路２２０の中央位置に、上支持台２２の長手方向に沿って長尺な孔部２２１が形成され、図４（ｃ）に示すように、波状路２２０の上部には、空間２２２が形成されている。
【００３８】
弾性具６０は、下支持台１２の長手方向の長さとほぼ同じ長さに形成された一対の板材６１、６２と、一対のバネ６３と、一対のネジ６４と、一対のナット６５とを備えている。板材６１については、波状路１２０が設けられた部分の移動空間１２２内の壁面に接するように配置し、その長手方向のそれぞれの端部近傍の下面にバネ６３をそれぞれ配置して、もう一枚の板材６２で、このバネ６３を挟む。そして、この状態でネジ６４のヘッド部６４ａが上支持台２２の空間２２２内の波状路２２０の上部側の壁面で引っかかり、ネジ６４の軸部６４ｂが孔部２２１，１２１を通って、移動空間１２２内に挿入され、板材６１を貫通し、各バネ６３の軸部を通って、さらに板材６２を貫通されるようにする。そして、このネジ６４の先端にナット６５を螺合させる。すると、ネジ６４のヘッドと、ナット６５との間の距離が一定に保たれ、バネ６３の弾性力により、板材６１を基点に板材６２を下方に押すので、上支持台２２が下支持台１２に押しつけられ、波状路１２０と波状路２２０とが噛み合い、上支持台２２が下支持台１２に固定される。一方、バネ６３の弾性力に逆らって上支持台２２を持ち上げると、波状路１２０、２２０の噛み合いが解けるので、弾性具６０ごと、上支持台２２を下支持台１２に対し前後方向に移動可能となる。このとき弾性具６０の板材６１，６２は移動空間１２２内を移動し、ネジ６４の軸部は、孔部１２１，２２１に沿って移動する。
【００３９】
従って、本実施形態のアウト球収容器１は、これら下支持台１２、上支持台２２、弾性具６０の構成により、受皿２０を、上ベース１０や下ベース４０に対して前後方向に移動可能に固定することができる。
[上ベース１０と、案内樋３０が関連する構造]
上ベース１０の上面１０ａに設けられた下回転台１１は、図５（ａ）に示すように、上面１１ａの端部に沿って凹凸を繰り返す形状に形成された波状路１１０が形成されている。また、この下回転台１１の上面の中心には、後述する上回転台を、下回転台１１と同一軸上で回転するように軸支するための軸支棒１１２を通す孔部１１１が形成されている。この孔部１１１は、図５（ｃ）に示すように、下部空間が広くなっており、この空間内には支持台１１３が上ベース１０の上面１０ａに固定され、軸支棒１１２は、この支持台１１３から上方に向かって延設され、孔部１１１を通って、先端が上回転台の内部に配置されるよう固定されている。
【００４０】
下回転台１１の上面に載せられた上回転台３１は、下回転台１１と同様に、上回転台３１の下面の端部に沿って凹凸を繰り返す形状に形成された波状路３１０が形成されている。また、この上回転台３１の下面の中心には、軸支棒１１２を通す孔部３１１が形成されている。この孔部３１１は、図３（ｃ）に示すように、上部空間３１ａが広くなっており、この空間３１ａ内には、後述する弾性具７０が配置される。
【００４１】
弾性具７０は、バネ７３と、ワッシャ７４と、ナット７５とを備えている。バネ７３は、上回転台３１の上部空間３１ａ内で軸支棒１１２と同軸状に軸支棒１１２の先端に通され、この軸支棒１１２の先端にはさらにワッシャ７４が通され、ナット７５が螺合される。すると、バネ７３がワッシャ７４と、上回転台３１の上部空間３１ａの壁面との間に挟まれ、バネ７３がその弾性力で上回転台３１を下回転台１１に押しつける。すると、波状路１１０、３１０が噛み合い、上回転台３１が下回転台１１に固定される。一方、バネ７３の弾性力に逆らって上回転台３１を持ち上げると、波状路１１０、３１０の噛み合いが解けるので、上回転台３１を下回転台１１に対して回転可能となる。
【００４２】
また、上回転台３１の上面には、図５（ｃ）に示すように、受樋３２が固定されている。
この受樋３２は、前述したように受皿２０の排出孔２９が設けられた部分の直下に配置されている。また、本実施形態では、図６（ａ）に示すように、受皿２０が上ベース１０に対して前後方向に移動し、受樋３２が、上ベース１０に対して回転するので、このように移動・回転しても、受皿２０から排出されるアウト球を受け取れる大きさ及び形状に形成されている。また、案内樋３０の流樋３３は、図２に示すように、前方から見たとき、受樋３２の右側から前方に向かって延設されている。そのため、図６（ｂ）に示すように、受樋３２が受皿２０からアウト球を受ける面は、左側から右側に流樋３３に向かって傾斜している。この結果、案内樋３０は、受皿２０から受けたアウト球を、流樋３３の遊端側に送り、流樋３３の先端から排出して、図示しない島台の回収樋に排出することができるのである。
【００４３】
従って、本実施形態のアウト球収容器１は、これら下回転台１１、上回転台３１、弾性具７０、受樋３２の構成により、案内樋３０を、上ベース１０に対して回転可能に固定することができる。
[本実施形態のアウト球収容器の特徴的な作用効果]
以上説明したアウト球収容器１を用いると以下のような特徴的な作用効果がある。
【００４４】
本実施形態のアウト球収容器１は、受皿２０と案内樋３０の受樋３２との間に緩衝空間αが設けられ、受皿２０がアウト球を遊技機から受ける衝撃を、上ベース１０を介してしか案内樋３０に直接伝えないので、案内樋３０に設けられた計数機９０の振り子にも振動が伝わらない。
【００４５】
従って、本実施形態のアウト球収容器１を用いれば、受皿２０にアウト球が衝突しても、磁石によって固定された振り子が磁石から外れることがないので、チャタリングが発生することを確実に防止することができる。
【００４６】
また、本実施形態のアウト球収容器１は、突起４９を孔部１９に対して抜き差しすることで、下ベース４０を島台に固定した後でも、受皿２０の位置を前後左右に自由に変更して固定することができる。そのため、本実施形態のように構成すれば、アウト球収容器１を島台に固定した後でも、受皿を前後左右に移動させることにより、島台毎に、アウト球収容器が取り付けられる位置と、遊技機から遊技球が排出される位置との位置関係が異なっても、その位置関係に合わせて受皿の位置を変更することができる。
【００４７】
また、本実施形態のアウト球収容器１は、受皿２０が上ベース１０に対して前後方向に移動可能に固定されているので、上ベース１０を島台に固定してしまった後でも、受皿２０の前後方向の位置を自在に変更することができる。
【００４８】
また、本実施形態のアウト球収容器１は、案内樋３０が上ベース１０に対して回転可能に固定されているので、上ベース１０を島台に固定してしまった後でも、案内樋３０の流樋３３の遊端からアウト球が排出される位置を変更することができる。
（対応関係）
本実施形態の孔部１９が、本発明の孔部に相当する。
【００４９】
本実施形態の突起４９が、本発明の突起に相当する。
本実施形態の弾性具６０が、本発明の第１噛合手段に相当する。
本実施形態の弾性具７０が、本発明の第２噛合手段に相当する。
【００５０】
本実施形態の計数機９０が、本発明の計数手段に相当する。
本実施形態のリードスイッチ９４が、本発明の検出手段に相当する。
本実施形態の上ベース１０及び下ベース４０が、本発明のベースに相当する。
（その他の実施形態）
上述した実施形態では、下ベース４０に突起４９を４行１０列設け、上ベース１０に孔部１９を９行１８列設けたがこれに限られるものではない。
【００５１】
上述した実施形態では、受樋３２と受皿２０との間に緩衝空間αが形成されるように構成したが、受皿２０がアウト球を受け取るときに発生する振動を伝えない構成であれば、例えば、受樋３２と受皿２０とをゴム製のチューブで接続してもよい。
【００５２】
上述した実施形態では、下ベース４０に突起４９を設け、上ベース１０に孔部１９を設けたが、下ベース４０に孔部１９に相当する孔部を設け、上ベース１０に突起４９に相当する突起を設けてもよいことはもちろんである。
【００５３】
本発明は、特許請求の範囲に記載された発明の趣旨に合致するものであればよく、上述の実施形態に限定されるものではない。
【符号の説明】
【００５４】
１…アウト球収容器、１０…上ベース、１０ａ…上面、１０ｂ…下面、１１…下回転台、１１ａ…上面、１２…下支持台、１４…ネジ台、１９…孔部、２０…受皿、２０ａ…皿面、２０ｂ…下面、２２…上支持台、２９…排出孔、３０…案内樋、３１…上回転台、３１ａ…上部空間、３２…受樋、３３…流樋、４０…下ベース、４０ａ…上面、４８…ネジ止孔、４９…突起、６０…弾性具、６１…板材、６２…板材、６３…バネ、６４…ネジ、６４ａ…ヘッド部、６４ｂ…軸部、６５…ナット、７０…弾性具、７３…バネ、７４…ワッシャ、７５…ナット、９０…計数機、９３…振り子、９４…リードスイッチ、１１０…波状路、１１１…孔部、１１２…軸支棒、１１３…支持台、１２０…波状路、１２１…孔部、１２２…移動空間、２２０…波状路、２２１…孔部、２２２…空間、３１０…波状路、３１１…孔部、α…緩衝空間。
【図１】
0005471298.tif 000002
【図３】
0005471298.tif 000003
【図４】
0005471298.tif 000004
【図５】
0005471298.tif 000005
【図７】
0005471298.tif 000006
【図８】
0005471298.tif 000007
【図２】
0005471298.tif 000008
【図６】
0005471298.tif 000009